(57)【特許請求の範囲】
【請求項１】
フロアの排水口を通水可能に塞ぐキャップ本体と、前記排水口の直径より大きい直径を有して前記キャップ本体に取り付けられ長円状に撓んで弾撥力により排水口の内周面に当接して前記キャップ本体を保持するループバネ板とを有し、前記ループバネ板に回転可能なリングを嵌合したことを特徴とするドレンキャップ。
【請求項２】
ループバネ板を複数備えたことを特徴とする請求項１に記載のドレンキャップ。
【発明の詳細な説明】
【技術分野】
【０００１】
本発明は、建築物の排水口に装着されるドレンキャップに関するものである。
【背景技術】
【０００２】
ビルやマンション等の建築物の屋上や各階のベランダには、雨水を排水し得るよう排水口（ドレン）が設けられているのが一般的であり、この種の排水口には、雨水に随伴される落ち葉や小枝或いは紙、ビニール等といった固形物の侵入防止、並びに排水口が剥き出しになることによる危険性の回避、美観の保持等といった観点からドレンキャップが装着されている。
【０００３】
図８〜図１０は従来における屋上に設けられるドレンキャップの一例を示すもので、１はドレンキャップを構成するキャップ本体であり、このキャップ本体１はフロア２の排水口３の上部外側に設置するためのフランジ部４と、該フランジ部４から上方に突出して排水口３を通水可能に塞ぐ上方突部５とから構成されており、このキャップ本体１の内部には、上端が上方突部５の内部中心位置に固定されて下方に所要長さで延設したロッド材６が固定されており、該ロッド材６の下端部には、十文字に交差されたバネ鋼材からなる２枚の細長いバネ板７の中間部（交差部分）がビス止めされたもの、或いは１本のバネ鋼材からなる細長いバネ板７の中間部が固定されたものがある。尚、図８中における８はキャップ本体１に形成された雨水を導き入れるための取水口を示している。
【０００４】
前記フロア２を形成するためのモルタルやセメント、樹脂等といった流動性硬化材９の打設時に当該フロア２の排水口３の位置にドレン本体１０が一緒に埋め込まれており、図１０に示すように、前記キャップ本体１に固定した各バネ板７の両端部を下方向きに撓ませて排水口３内に挿入すると、前記各バネ板７が弾撥力によりドレン本体１０の内周面に圧接することでキャップ本体１が排水口３に固定されるようになっている。
【０００５】
一方、図１１、図１２に示すように、フロア２と壁１１との間に傾斜部１２が形成されていて該傾斜部１２の下端部に横方向に伸びる排水口３’が形成されている場合があり、この場合には、排水口３’を閉塞するためのコーナ部用のドレンキャップを設けている。このコーナ部用のドレンキャップは、フロア側キャップ部１４と壁側キャップ部１５がヒンジ部１３によりａ方向に折曲げ可能に接続されたキャップ本体１６を備えている。フロア側キャップ部１４と壁側キャップ部１５には取水口８が形成されている。更に、壁側キャップ部１５の前記ヒンジ部１３に近い側の下面には固定ブロック１７が設けてあり、該固定ブロック１７には支点ピン１８を中心に上下方向（ｂ方向）に回動可能な回動駒１９が設けてあり、１枚の細長いバネ板７の中間部が回動駒１９にビス止めされている。
【０００６】
前記キャップ本体１６は、バネ板７の両端部を互いに近付けるように撓ませて排水口３’内に挿入し、フロア側キャップ部１４をフロア２上に設置し、壁側キャップ部１５を排水口３’を閉塞するように傾斜部１２上に設置する。この時、前記バネ板７が水平状態になるようにネジ２０によって支点ピン１８に対する回動駒１９の位置を固定する。これにより、バネ板７の先端が排水口３’の上下方向中間の内周面に弾撥力によって圧接されることによりキャップ本体１６を排水口３’に固定するようになっている。
【０００７】
前記図８〜図１０に示したドレンキャップに関連する先行技術文献情報としては、本発明と同じ出願人による特許文献１等がある。
【先行技術文献】
【特許文献】
【０００８】
【特許文献１】特開２００６−４５８８１号公報
【発明の概要】
【発明が解決しようとする課題】
【０００９】
しかしながら、図８〜図１０、及び図１１、図１２に示した従来のドレンキャップにおいては、バネ鋼材からなるバネ板７を撓ませて排水口３，３’内に挿入してバネ板７の弾撥力によって排水口３，３’の内周面に圧接することでキャップ本体１，１６を排水口３，３’に固定しているが、バネ板７はバネ鋼材による硬い材料で構成されており、且つバネ板７の先端部は排水口３，３’内周面に点又は線で接触していて滑り易いため、バネ板７によるキャップ本体１，１６の固定強度は比較的低く、そのために、上方突部５に風の力が作用したり、或いは風によって飛ばされた物が上方突部５に衝突したり、更には振動が作用する等の外力によって、図１３に示す如くキャップ本体１が排水口３から抜き出されて脱落してしまう可能性を有していた。又、図１１、図１２に示したキャップ本体１６の場合にも、外力の作用によってキャップ本体１６が排水口３’から抜き出されて脱落してしまう可能性を有していた。
【００１０】
又、上記従来のキャップ本体１，１６を排水口３，３’に固定するには、直線状のバネ板７を撓ませて排水口３，３’内に挿入する必要があるため、撓ませる際に跳ね返って作業が大変であると共に危険を伴う場合があり、又、キャップ本体１，１６を排水口３，３’から抜き取る際にもバネ板７が跳ね返ってゴミ等を弾き飛ばすという問題を有していた。
【００１１】
本発明は上述の実情に鑑みてなしたもので、キャップ本体を排水口に固定する保持力を高めることができて排水口に固定したキャップ本体が排水口から抜け出る問題を防止でき且つ排水口への設置が容易なドレンキャップを提供することを目的としている。
【課題を解決するための手段】
【００１２】
本発明は、フロアの排水口を通水可能に塞ぐキャップ本体と、前記排水口の直径より大きい直径を有して前記キャップ本体に取り付けられ長円状に撓んで弾撥力により排水口の内周面に当接して前記キャップ本体を保持するループバネ板とを有し、前記ループバネ板に回転可能なリングを嵌合したことを特徴とするドレンキャップ、に係るものである。
【００１３】
上記ドレンキャップにおいて、ループバネ板を複数備えることは好ましい。
【００１５】
而して、上記ドレンキャップにおいては、排水口の直径より大きい直径を有するループバネ板を記キャップ本体に取り付けており、ループバネ板を排水口に挿入すると、長円状に撓んで弾撥力により排水口の内周面に当接することによりキャップ本体を保持するようにしているので、ループバネ板が長円状に撓むことにより排水口に対して大きな接触面積で圧接されるようになり、これによって、ループバネ板は排水口の内周面に対して滑る問題が防止され、排水口にキャップ本体を固定しておく保持力を大幅に高めることができ、よって、キャップ本体に外力が作用してもキャップ本体が排水口から抜き出る問題を防止することができる。
【００１６】
又、ループバネ板を撓ませて排水口に挿入する作業は容易であり、しかも従来のようにバネ板が跳ね返る問題を生じることもない。
【００１７】
キャップ本体にループバネ板を複数備えると、キャップ本体を排水口に固定する保持力を更に高めることができる。
【００１８】
又、ループバネ板に回転可能なリングを嵌合しているので、流れてくるゴミは、リングに作用した際にリングが不安定に回転することによってリング及びループバネ板に引っ掛かることなく下流に流れ落ちるようになる。
【発明の効果】
【００１９】
本発明のドレンキャップによれば、排水口の直径より大きい直径を有するループバネ板をキャップ本体に取り付けており、ループバネ板を排水口に挿入すると、長円状に撓んで弾撥力により排水口の内周面に当接することによりキャップ本体を保持するようにしているので、ループバネ板が長円状に撓むことにより排水口に対して大きな接触面積で圧接されるようになり、これによって、ループバネ板は排水口の内周面に対して滑る問題が防止され、排水口にキャップ本体を固定しておく保持力を大幅に高めることができ、よって、キャップ本体に外力が作用してもキャップ本体が排水口から抜き出る問題を防止できるという優れた効果を奏し得る。
【００２０】
又、ループバネ板を撓ませて排水口に挿入する作業は容易であり、しかも従来のようにバネ板が跳ね返る危険も生じない効果がある。
【図面の簡単な説明】
【００２１】
【図１】本発明を実施する形態の一例を示す側面図である。
【図２】ロッド材の下端にバネ板を曲げて取り付けることによりループバネ板を形成する状態を示す斜視図である。
【図３】ループバネ板に複数のリングを取り付けた状態を示す側面図である。
【図４】ロッド材の下端に直径が異なる複数のループバネ板を取り付けた形態を示す側面図である。
【図５】ロッド材の下端に複数のループバネ板を傾斜して取り付けた形態を示す側面図である。
【図６】コーナ部用のドレンキャップのキャップ本体にループバネ板を取り付けた形態を示す斜視図である。
【図７】図１のドレンキャップに備えたループバネ板を排水口に挿入する状態を示す断面図である。
【図８】従来のドレンキャップを構成するキャップ本体の一例を示す斜視図である。
【図９】図８のキャップ本体を側方から見た切断側面図である。
【図１０】図８のキャップ本体を排水口に設置した状態を示す切断側面図である。
【図１１】従来のコーナ部用のドレンキャップを構成するキャップ本体の一例を示す切断側面図である。
【図１２】図１１のキャップ本体の斜視図である。
【図１３】排水口に設置したキャップ本体が、外力の作用によって排水口から抜き出されて脱落する状態を示す側面図である。
【発明を実施するための形態】
【００２２】
以下本発明の実施の形態を図面を参照しつつ説明する。
【００２３】
図１は前記図８〜図１０に示したドレンキャップに適用した本発明を実施する形態の一例を示すもので、本形態例においては、前述した図８〜図１０と略同様に構成したドレンキャップにおいて、図１に示すように、キャップ本体１のロッド材６の下端部に、細長いバネ板によって排水口３の直径よりも大きい直径のループ状に形成されたループバネ板２１をビス等により鉛直に取り付けている。ループバネ板２１はバネ鋼で形成することができるが、プラスチックバネによって形成することもできる。
【００２４】
ループバネ板２１には、細長い板バネにより切れ目を有しないループ状に形成されたものを用いてもよく、或いは図２に示すように、両端に固定孔２２ａ，２２ｂを有する細い１本のバネ板を円形に曲げて両端を重ね合わせ、重ね合わせ部をロッド材６の下端に形成した固定溝２３に嵌合させてビス２４によりロッド材６に固定することでループバネ板２１を形成してもよい。
【００２５】
前記ループバネ板２１は排水口３の直径よりも大きい直径を有しており、例えばループバネ板２１の直径は、排水口３の直径の１．１〜２．０倍程度とすることができる。
【００２６】
更に、前記ループバネ板２１には、ループバネ板２１に対するゴミの引っ掛かりを防止するためのリング２５が回転可能に嵌合されている。図１に示したように、細い１本のバネ板を円形に曲げてループバネ板２１を形成する場合には、バネ板の一端部からリング２５を嵌合させた後に、図２に示すようにビス２４を用いてバネ板の両端をロッド材６の下端に固定することで取り付けることができ、又、切れ目を有しないループ状のバネ板によりループバネ板２１を形成する場合には、切れ目を備えたリング２５を切れ目からループバネ板２１に嵌合させた後、リング２５をカシメる等によって切れ目を塞ぐことで取り付けることができる。
【００２７】
又、図１においては、ループバネ板２１に１つのリング２５を取り付けた場合について示しているが、図３に示すように複数のリング２５ａ，２５ｂを設けたり、更には直径の大きさが異なる複数のリングを取り付けるようにしてもよい。
【００２８】
図４は図１と類似する本発明の他の形態を示すもので、ロッド材６の下端に、直径が異なる複数のループバネ板を取り付けた場合を示している。図４の形態では、排水口３の直径よりも大きい直径の前記ループバネ板２１と、該ループバネ板２１よりも更に大きい直径を有する大径のループバネ板２６とを９０゜の方向に交差させてロッド材６の下端にビスで取り付けている。この時、前記ループバネ板２１，２６の夫々にリング２５を嵌合するようにしている。
【００２９】
又、上記したように複数のループバネ板を取り付ける変形例としては、図５に示すように、例えば同一の直径を有するループバネ板２１ａ，２１ｂをハの字状を形成するように傾斜させてロッド材６の下端に取り付けるようにしてもよい。尚、図５の形態では、ループバネ板２１ａ，２１ｂにはリングは備えていない。
【００３０】
図６は図１１、図１２のコーナ部用のドレンキャップに適用した本発明を実施する形態の一例を示すもので、キャップ本体１６の壁側キャップ部１５に対して前記ループバネ板２１を取り付けるようにしている。
【００３１】
次に、上記形態の作用を説明する。
【００３２】
図７は、前記図１に示したドレンキャップを排水口３に設置する状態を示したものであり、ドレンキャップを排水口３に設置するには、キャップ本体１のロッド材６の下端部に固定したループバネ板２１を長円状に撓ませるようにした状態でループバネ板２１を排水口３に挿入する。すると、ループバネ板２１は長円状に撓んで排水口３の内周面に対して大きな接触面積で圧接されるようになり、これによって、ループバネ板２１が排水口３の内周面に対して滑る問題が防止され、排水口３にキャップ本体１を固定しておく保持力が大幅に高められるようになる。
【００３３】
従って、キャップ本体１に外力が作用してもキャップ本体１が排水口３から抜き出る問題を防止することができる。
【００３４】
ここで、図４に示すように、キャップ本体１に直径が異なる複数のループバネ板２１，２６を備えたり、或いは図５に示すように、直径が同じ複数のループバネ板２１ａ，２１ｂを傾斜して備えるようにした場合には、排水口３に対するループバネ板２１，２６，２１ａ，２１ｂの接触面積が更に増加されることになるので、排水口３にキャップ本体１を固定しておく保持力は更に高められるようになる。
【００３５】
又、前記したループバネ板２１は元々ループ状を有しているために、撓ませて排水口３に挿入する作業は容易であり、従来のようにバネ板が跳ね返るような問題を生じることはない。
【００３６】
又、図６に示すように、コーナ部用のドレンキャップのキャップ本体１６にループバネ板２１を取り付けるようにした場合においても、ループバネ板２１によってキャップ本体１６を排水口３’（図１１参照）に固定しておく保持力が高められ、よってキャップ本体１６に外力が作用してもキャップ本体１６が排水口３'から抜き出る問題を防止することができる。
【００３７】
本発明らは、図８〜図１０に示す従来のドレンキャップにおいて、１本のバネ板７を備えた場合と、十字状に２本のバネ板７を備えた場合と、図１に示した本発明による１本のループバネ板２１を備えた場合と、図４に示した本発明による２本のループバネ板２１，２６を備えた場合の夫々について、排水口３に対するドレンキャップの保持力を測定する試験を実施した。
【００３８】
上記試験は、夫々のドレンキャップに備えたバネ板を撓ませて、内径５１ｍｍを有して鉛直に固定した塩ビクリアー管（排水口）に挿入し、ドレンキャップをバネ秤で垂直上方に引っ張った際にドレンキャップが塩ビ管から引抜かれる時の荷重を測定して垂直引張強度とした。試験の結果を表１に示した。
【００３９】
【表１】
0005426245.tif 000002
【００４０】
上記表１から明らかなように、本発明のドレンキャップによれば、従来のドレンキャップに対して４倍或いはそれ以上の飛躍的に高い保持強度で排水口にしっかり固定できることが判明した。
【００４１】
従って、本発明のドレンキャップによれば、外力の作用によってドレンキャップが排水口から抜け出して落下するような問題を確実に防止することができて安全性を高めることができる。
【００４２】
又、図１、図３、図４の形態においては、ループバネ板２１に対するゴミの引っ掛かりを防止するためのリング２５，２５ａ，２５ｂをループバネ板２１に回転可能に嵌合しているので、流れてくるゴミは、リング２５，２５ａ，２５ｂに作用した際にリング２５，２５ａ，２５ｂが不安定に回転することによってリング２５，２５ａ，２５ｂ及びループバネ板２１に引っ掛かることなく下流に流れ落ちるようになる。
【００４３】
尚、本発明のドレンキャップは、上述の形態例にのみ限定されるものではなく、キャップ本体の形状は図示例に限定されないこと、その他、本発明の要旨を逸脱しない範囲内において種々変更を加え得ることは勿論である。
【符号の説明】
【００４４】
１  キャップ本体
２  フロア
３，３’    排水口
６  ロッド材
１６  キャップ本体
２１  ループバネ板
２１ａ，２１ｂ        ループバネ板
２５  リング
２５ａ，２５ｂ        リング
２６  ループバネ板
【図１】
0005426245.tif 000003
【図２】
0005426245.tif 000004
【図３】
0005426245.tif 000005
【図４】
0005426245.tif 000006
【図５】
0005426245.tif 000007
【図６】
0005426245.tif 000008
【図７】
0005426245.tif 000009
【図８】
0005426245.tif 000010
【図９】
0005426245.tif 000011
【図１０】
0005426245.tif 000012
【図１１】
0005426245.tif 000013
【図１２】
0005426245.tif 000014
【図１３】
0005426245.tif 000015